(57)【要約】【課題】レーザー露光装置において、光量分布の測定結果と写真プリントの発色濃度との相関性を良好にすることができ、光量分布の測定結果に基づいてユニフォミティ補正を行うことが可能な光量分布測定装置を提供する。【解決手段】光変調されたレーザー光を主走査方向に走査することでペーパーの表面に画像を露光形成するレーザー露光装置８のために用いられ、画像形成位置におけるレーザー光の光量を測定することで、主走査方向における光量ばらつきを補正するための光量分布測定装置４０であって、光量測定用のデータに基づいて光変調され、主走査方向に走査されるレーザー光の光量を測定するための光量測定センサー部４１と、光量測定センサー部４１により主走査方向におけるレーザー光の光量分布信号を取得する光量分布取得部４７とを備え、この光量分布取得部４７は、光量測定用のデータに基づき光変調された画素信号成分の第１光量分布を取得する第１データ取得手段と、ノイズ成分による第２光量分布を取得する第２データ取得手段とを備える。【選択図】図３
2006047003.tif 000002
【特許請求の範囲】
【請求項１】
光変調されたレーザー光を主走査方向に走査することで写真感光材料の表面に画像を露光形成するレーザー露光装置のために用いられ、画像形成位置におけるレーザー光の光量を測定することで、主走査方向における光量ばらつきを補正するための光量分布測定装置であって、
光量測定用のデータに基づいて光変調され、主走査方向に走査されるレーザー光の光量を測定するための光量測定センサー部と、
この光量測定センサー部により主走査方向におけるレーザー光の光量分布信号を取得する光量分布取得部とを備え、
この光量分布取得部は、
前記光量測定用のデータに基づき光変調された画素信号成分の第１光量分布を取得する第１データ取得手段と、
ノイズ成分による第２光量分布を取得する第２データ取得手段とを備え、
レーザー光の主走査方向における走査開始位置から、次の走査開始位置までの間の光量を時系列に測定して各画素位置ごとに積分することで、各画素位置における光量測定データとすることを特徴とする光量分布測定装置。
【請求項２】
光量測定センサー部の感度を切り替えるための感度切替手段を備えており、
感度を第１レベルに設定することで、前記第１光量分布を取得し、第２レベルに設定することで、前記第２光量分布を取得するように構成したことを特徴とする請求項１に記載の光量分布測定装置。
【請求項３】
前記光量測定センサー部は、第１光量分布を取得するための第１光センサーと、
第２光量分布を取得するための第２光センサーとを備えていることを特徴とする請求項１に記載の光量分布測定装置。
【発明の詳細な説明】
【技術分野】
【０００１】
本発明は、光変調されたレーザー光を主走査方向に走査することで写真感光材料の表面に画像を露光形成するレーザー露光装置のために用いられ、画像形成位置におけるレーザー光の光量を測定することで、主走査方向における光量ばらつきを補正するための光量分布測定装置に関するものである。
【背景技術】
【０００２】
レーザー露光装置は、写真感光材料（ペーパー）に表面に画像を焼付露光する装置として用いられており、レーザー光を出力するレーザー光源や、出力されたレーザー光を光変調するためのＡＯＭ（音響光学素子）、光変調されたレーザー光を主走査方向に沿って繰り返し走査させるためのポリゴンミラー、ｆθレンズなどから構成される（例えば、下記特許文献１）。
【０００３】
かかるレーザー露光装置において、写真感光材料の乳剤面にある濃度の画素を形成するためには、ある値の画素データが与えられ、この画素データに基づき光変調されたレーザー光が乳剤面に照射されることで、所定の画素濃度が潜像として形成される。この場合、同じ画素データが与えられた場合、主走査方向のどの画素位置においても同じ濃度が形成されなければならないが、実際には種々の要因により同じ画素データを与えても均一な濃度にはならない。これを図８により示す。
【０００４】
図８は、画像形成位置（写真感光材料の乳剤面の位置あるいは乳剤面の近傍位置）における光量分布を示すグラフであり、横軸は主走査方向における測定位置（ｍｍ）を表し、縦軸は光量測定値を表す。また、カラー画像を形成するためのレーザー露光装置であるので、赤レーザー光源（Ｒ）、緑レーザー光源（Ｇ），青レーザー光源（Ｂ）の夫々について測定されたデータである。このデータは、全面グレーの写真プリントを作成するような画素データを付与することで測定されたものであり、理想的には、どの測定位置においても光量測定値は同じにならなければならない。なお、図８では測定位置のほぼ中央部が０となるように、各Ｒ，Ｇ，Ｂの測定データをオフセットしている。
【０００５】
しかしながら、図８を見てもわかるように、実際には光量は均一にならず、ばらつきが生じている。このばらつきは、写真感光材料に形成される画素濃度のばらつきの原因となり画質低下を招く。上記のように、光量分布が均一にならない理由としては、レーザー露光装置を構成する光学部品（ポリゴンミラーの反射面やｆθレンズなど）の個体差における光学特性のばらつきと、これらから生じるノイズがある。このようなばらつきを補正して光量分布が実質的に均一となるように、すなわち、形成される画素濃度が均一になるように、電子的な補正を行っている。つまり、各測定位置に対応した画素データを補正することで、画素濃度の均一化を行う。これを主走査方向におけるユニフォミティ補正とも称している。
【０００６】
一方、図８に示す光量分布の状態で、写真プリントを作成した場合の、実際の画像濃度を測定した結果を図９に示す。横軸は測定位置であり、縦軸は濃度値を示す。発色濃度は、Ｙ（イエロー）、Ｍ（マゼンタ）、Ｃ（シアン）で示され、各色の平均値でグラフはオフセットしている。青・緑・赤レーザーにより、Ｙ・Ｍ・Ｃの各色が発色される。この図９を見るとわかるように、各色の発色濃度と、図８の光量分布とは、ほぼ同じような傾向が見られる。
【０００７】
しかしながら、Ｙのグラフには、測定位置５０ｍｍ以下のエリアで濃度値がはねあがっており、図８の光量分布とは対応しない部分が存在する。従って、光量分布と濃度分布が対応しないため、光量分布のみに基づいて前述のユニフォミティ補正を行うと、正確な補正が行われないことがありうる。
【０００８】
上記の跳ねあがり部分が生じる原因は、次のようなものが考えられている。まず第一に、ポリゴンミラーにより主走査可能な範囲のうちで、それよりも狭い範囲（以下、有効走査範囲と称する。）でのみ光変調されたレーザー光が出力され、有効走査範囲の外側領域ではレーザー光による露光は行われないようにしなければならない。しかし、レーザー光の出力制御（光変調）は、ＡＯＭで行われており、レーザー光源からのレーザー光は常時出力された状態である。従って、ＡＯＭで完全にレーザー光が遮断されるように制御するが、現実的には完全に遮光されず、幾分かの漏れ光が生じる。これがノイズ成分として発色濃度に影響を与える。また、ポリゴンミラーを防塵するために保護ガラスが設けられているが、ポリゴンミラーへ入射されるレーザー光がこの保護ガラスに乱反射して、発色濃度に影響を与えることも考えられる。これもノイズ成分として影響を与える。
【０００９】
図１０は、ある１画素を露光させる時の光量分布を示している。横軸は主走査方向（測定位置）であり、縦軸は光量測定値を示している。露光させるべき画素の位置はＧで示されている。Ｇの位置で光量測定値はピークＳ（画素信号成分）となっており、これにより、画素位置Ｇの写真感光材料が発色させられる。Ｓのレベルに対応したデータに基づいて、レーザー光が変調される。一方、ノイズ成分Ｎも含まれており、これは画素信号成分Ｓに比べるとごくわずかな量であり、例えば、１／１００００程度のレベルである。このノイズ成分は、画素位置Ｇ以外の位置で発色に対して影響を与えるが、１／１００００程度のレベルであれば、画質に影響を及ぼすレベルではない。
【００１０】
しかしながら、実際に主走査方向に画像を形成するためには、図１０に示すような走査が主走査方向に画素数分繰り返されることになる。例えば、主走査方向の画素数が３６００画素であれば、３６００回走査が繰り返されるので、たとえ１／１００００程度のわずかなレベルであっても、これが蓄積されると３６００／１００００のレベルとなり、無視できないレベルとなる。このようなノイズ成分は、前述したように種々の要因により発生するため、発生形態も一定しているとは限らず、図９に示すように特定の場所で跳ねあがったような発色濃度が発生することがある。
【００１１】
これを図１１で説明する。図１１は、ペーパーの乳剤に対する露光量と濃度との関係を示すグラフである。横軸が露光量、縦軸が濃度を表わしている。例えば、Ｅ1の露光量を与えた場合の発色濃度はＤ1で示されている。この場合、ΔＥの量で示すノイズ成分があったとすると、実際の露光量はＥ1＋ΔＥ＝Ｅ1’となり、実際の発色濃度はＤ1’に変化する。図１１からも分かるように、ノイズ成分が大きいほど、発色濃度に対する影響も大きくなる。
【００１２】
従って、光量分布を測定する場合には、かかるノイズ成分も考慮した測定を行うべきであるが、実際には、ピーク成分にのみ着目した光量分布測定しか行われていなかったため、光量分布の測定結果と写真プリントの濃度測定結果とが必ずしも対応しないことがあった。その結果、光量分布の測定結果のみでユニフォミティ補正を行うと、正確な補正が行われないという事態が生じていた。
【特許文献１】特開２００３−１８６８号公報
【発明の開示】
【発明が解決しようとする課題】
【００１３】
本発明は上記実情に鑑みてなされたものであり、その課題は、レーザー露光装置において、光量分布の測定結果と写真プリントの発色濃度との相関性を良好にすることができ、光量分布の測定結果に基づいてユニフォミティ補正を行うことが可能な光量分布測定装置を提供することである。
【課題を解決するための手段】
【００１４】
上記課題を解決するため本発明に係る光量分布測定装置は、
光変調されたレーザー光を主走査方向に走査することで写真感光材料の表面に画像を露光形成するレーザー露光装置のために用いられ、画像形成位置におけるレーザー光の光量を測定することで、主走査方向における光量ばらつきを補正するための光量分布測定装置であって、
光量測定用のデータに基づいて光変調され、主走査方向に走査されるレーザー光の光量を測定するための光量測定センサー部と、
この光量測定センサー部により主走査方向におけるレーザー光の光量分布信号を取得する光量分布取得部とを備え、
この光量分布取得部は、
前記光量測定用のデータに基づき光変調された画素信号成分の第１光量分布を取得する第１データ取得手段と、
ノイズ成分による第２光量分布を取得する第２データ取得手段とを備え、
レーザー光の主走査方向における走査開始位置から、次の走査開始位置までの間の光量を時系列に測定して各画素位置ごとに積分することで、各画素位置における光量測定データとすることを特徴とするものである。
【００１５】
この構成による光量分布測定装置の作用・効果を説明する。光量測定センサー部は、主走査方向に走査されるレーザー光の光量を測定する。測定するに当たり、光量測定用のデータに基づいてレーザー光が光変調される。光量測定センサー部を用いて、主走査方向におけるレーザー光の光量分布を測定する。光量分布の取得に際して、画素信号成分（図１０のＳで示される成分）による第１光量分布を第１データ取得手段により取得する。また、ノイズ成分による第２光量分布を第２データ取得手段により取得する。このように、光量レベルの異なる第１光量分布と第２光量分布を分けて取得することができ、ノイズ成分も考慮した形で、ユニフォミティ補正を行うことができる。
【００１６】
また、図１０で説明したように、主走査方向の画素数分のデータを積算することで、各画素位置におけるノイズ成分を積分して求めることができ、これにより、正確なノイズ成分のデータとすることができる。その結果、光量分布の測定結果と写真プリントの発色濃度との相関性を良好にすることができ、光量分布の測定結果に基づいてユニフォミティ補正を行うことが可能な光量分布測定装置を提供することができる。
【００１７】
本発明において、光量測定センサー部の感度を切り替えるための感度切替手段を備えており、
感度を第１レベルに設定することで、前記第１光量分布を取得し、第２レベルに設定することで、前記第２光量分布を取得するように構成することが好ましい。
【００１８】
この構成によると、各光量分布を取得するための専用の光センサーは設ける必要はなく、光センサーは１種類で、感度レベルを切り替える手段を設ける。画素信号成分とノイズ成分は、信号レベルが大きく異なるので、夫々の信号レベルに適切な感度に設定することで、第１光量分布と第２光量分布とを別個に取得することができる。これにより、画素信号成分とノイズ成分の信号レベルの特性に合わせた形で測定データを得ることができ、ノイズ成分を考慮したユニフォミティ補正を精度良く行うことができる。
【００１９】
本発明において、前記光量測定センサー部は、第１光量分布を取得するための第１光センサーと、
第２光量分布を取得するための第２光センサーとを備えていることが好ましい。
【００２０】
第１光量分布と第２光量分布を取得するために、それぞれに専用の第１光センサーと第２光センサーとを設けることができる。これにより、画素信号成分とノイズ成分の信号レベルの特性に合わせた形で測定データを得ることができ、ノイズ成分を考慮したユニフォミティ補正を精度良く行うことができる。
【発明を実施するための最良の形態】
【００２１】
本発明に係るレーザー露光装置が用いられる写真処理装置の好適な実施形態を図面を用いて説明する。図１は、写真処理装置の構成を示す模式図である。
【００２２】
＜写真処理装置の構成＞
この写真処理装置は、ネガフィルム等の写真フィルムに形成されたコマ画像を読み取り写真プリントを作成する機能を有する。また、メディア媒体に記憶されている画像データを読み取り写真プリントを作成する機能を有する。
【００２３】
フィルムスキャナー１は、現像済みの写真フィルムに形成されているコマ画像を読み取りデジタルデータ化する。メディア画像入力部２は、デジタルカメラの記憶媒体、ＭＯディスク、ＣＤ−Ｒ等に保存されている画像データを取り込む機能を有する。画像データ保存部３は、フィルムスキャナー１やメディア画像入力部２により取得した画像データを保存する。画像処理部４は、取得したオリジナルの画像データに画像処理を施して、写真プリントを作成するためのプリント用画像データを生成する。画像処理としては、色・濃度を適切にするための色・濃度の補正、赤目補正、逆光補正、画像の拡大処理、トリミング等がある。画像処理された画像データは、画像転送部５を介して、後述のレーザー露光装置８へと転送される。
【００２４】
ペーパーマガジン６は、ペーパー（写真感光材料）がロールＲの形態で収容されている。ペーパーマガジン６から引き出されたペーパーは、所定の搬送経路に沿って搬送される。ペーパーカッター７は、引き出されたペーパーを所定のプリントサイズに切断する。切断されたペーパーは、レーザー露光装置８へと搬送機構により搬送される。レーザー露光装置８は、レーザーエンジン９と、ペーパーを一定速度で搬送させるための露光搬送ローラ１０を備えている。レーザーエンジン９は、画像転送部５から転送されてきた画像データに基づいてレーザー光により走査露光を行い、ペーパーの乳剤面に画像を露光形成させる。
【００２５】
画像が焼付露光されたペーパーは、現像処理部１１及び乾燥処理部１２で夫々、現像処理と乾燥処理が施された後、装置外部に写真プリントとして排出される。
【００２６】
＜レーザー露光装置の構成＞
次に、レーザー露光装置８の構成を図２により説明する。遮光された筐体の適所に、３原色用の３個のレーザー光源２０Ｒ、２０Ｇ、２０Ｂが設けられている。レーザー光源２０Ｒは、例えば波長６８０ｎｍのＲ(赤色)のレーザ光を射出する半導体レーザ(ＬＤ)で構成されている。レーザー光源２０Ｇは、半導体レーザと半導体レーザから射出されたレーザ光を例えば波長５３２ｎｍのＧ(緑色)のレーザ光に変換する第２高調波発生器(ＳＨＧ)とで構成されている。レーザー光源２０Ｂは、半導体レーザと半導体レーザから射出されたレーザ光を例えば４７３ｎｍのＢ(青色)のレーザ光に変換する第２高調波発生器(ＳＨＧ)とで構成されている。
【００２７】
各レーザー光源２０Ｒ、２０Ｇ、２０Ｂの出力側には、レーザ光変調部の一例であるＡＯＭ（音響光学素子)２１Ｒ、２１Ｇ、２１Ｂと、遮光用の筐体内の適所に形成されたスリット２２Ｒ、２２Ｇ、２２Ｂがそれぞれ対応して配設されるとともに、走査光学系を構成するミラー２３Ｒ、２３Ｇ、２３Ｂ、反射ミラー２４、レンズ２５、及び図中のＡ方向に回転して入射レーザ光を所定範囲でＢ方向に走査（主走査）させるポリゴンミラー２６とが順に配置されている。
【００２８】
ＡＯＭドライバ２７Ｒ、２７Ｇ、２７Ｂは、画像データに基づきＡＯＭ２１Ｒ、２１Ｇ、２１Ｂを駆動制御し、レーザ光を光変調するものである。ＡＯＭ２１Ｒ、２１Ｇ、２１Ｂはレーザ光の出力をほぼ１００％〜０％の範囲内で調整可能なものである。
【００２９】
ミラー２３Ｒは全反射ミラー、ミラー２３Ｇ、２３Ｂはハーフミラーであって、上記配置はＡＯＭ２１Ｒから射出されるレーザ光をミラー２３Ｒで全反射させ、ＡＯＭ２１Ｇから射出されるレーザ光とミラー２３Ｇで合波した後、さらにＡＯＭ２１Ｂから射出されるレーザ光とミラー２３Ｂで合波することにより、３色のレーザ光を合波する。
【００３０】
ポリゴンミラー２６の射出側には、ｆθレンズ３０が配置されている。ポリゴンミラー２６は矢印Ａ方向に回転しており、この回転により主走査方向(Ｂ方向)に走査されたレーザ光はｆθレンズ３０を経て、副走査方向（紙面に垂直な方向）に搬送中のペーパーＰに照射され、このペーパーＰを露光するようになっている。さらに、ｆθレンズ３０の射出側であって、画像露光領域の直ぐ上流側にはミラー２８が配設され、かつミラー２８からの反射光を受光する受光素子からなる同期センサ２９が配設されている。同期センサ２９はＲ、Ｇ、Ｂの各レーザ光を受光する３個の受光素子を配設して構成されている。受光素子は対応する色のレーザ光を検出すると検出信号を制御部に出力する。
【００３１】
画像転送部５は、各色毎のバッファメモリ部５Ｒ，５Ｇ，５Ｂを有し、各バッファメモリ部５Ｒ，５Ｇ，５Ｂから読み出された画像データは、各色毎のＤ／Ａ変換部３１Ｒ，３１Ｇ，３１ＢによりＡ／Ｄ変換された後、ＡＯＭドライバ２７Ｒ，２７Ｇ，２７Ｂに送信される。
【００３２】
画像データ保存部３には、既に説明したようにフィルムスキャナー１等から取得された画像データが保存されると共に、ユニフォミティ補正を行うためのテストデータ３ａも保存されている。テストデータ３ａは、全面グレー１色の写真プリントを作成するための画像データとして用意されている。補正テーブル保存部１３は、ユニフォミティ補正の結果得られた補正データをテーブルという形で保存する。実際に写真プリントを作成するときには、画像処理部４においては、補正テーブルを用いた画像補正も行われた形でレーザー露光装置８へと画像データが転送される。ただし、ユニフォミティ補正は、補正テーブルを求めるために行うので、テストデータ３ａを転送するときは、補正テーブルは用いない。
【００３３】
＜光量分布測定装置＞
次に、レーザー露光装置８において主走査方向におけるレーザー光の光量分布を測定するための光量分布測定装置４０の構成を図３により説明する。光量分布の測定は、ペーパーが存在しない状態で行う。この光量分布測定装置４０は、ペーパーが搬送される搬送面に対して出退可能に構成されており、ペーパーに対する画像露光を行う場合には、搬送面から退避する。
【００３４】
光量測定センサー部４１は、主走査されるレーザー光の光量を測定する光センサー４１ａを備えている。この光センサー４１ａは、Ｒ、Ｇ、Ｂの各レーザー光を受光する３個の受光素子を有している。レーザー光の主走査方向に沿って延びる雄ねじ駆動軸４２を備え、駆動モータ４３により駆動される。光量測定センサー部４１には雌ねじが形成されており、駆動モータ４３により駆動軸４２を回転駆動することで、光量測定センサー部４１を主走査方向Ｂに沿って、往復動させることができる。光センサー４１ａの位置は、ペーパーの乳剤面の位置（画像形成位置に相当）となるように設定される。ただし、厳密に乳剤面の位置でなくてもよく、近傍に配置してもよい。
【００３５】
光センサー４１ａにより受光された信号は、信号処理部４４において、信号増幅、サンプリング、Ａ／Ｄ変換等の処理がなされる。また、信号処理部４４は、感度設定部４５を備えており、設定された感度に従った信号処理を行う。感度設定部４５における設定感度を切り換えるために感度切替手段４６が設けられている。
【００３６】
具体的には、画素信号成分の第１光量分布を取得するための第１レベルの感度と、ノイズ成分の第２光量分布を取得するための第２レベルの感度に設定することができる。すでに、図１０で説明したように、画素信号成分とノイズ成分との信号レベル比は、全く異なっているので、夫々に適した感度設定とすることで、夫々の光量分布を精度よく取得することができる。
【００３７】
光量分布取得部４７は、以上のように、画素信号成分の第１光量分布を取得する第１データ取得手段の機能と、ノイズ成分の第２光量分布を取得する第２データ取得手段の機能とを有する。補正テーブル演算部４８は、光量分布取得部４７により得られた光量分布データに基づき、ユニフォミティ補正を行うための補正テーブルを演算する。求められた補正テーブルは、画像データ保存部３に保存されることになる。
【００３８】
＜光量分布データ測定手順＞
次に、図３の光量分布測定装置により光量分布データを測定するときの手順を図４のフローチャートにより説明する。光量分布のデータは、各色ごと独立して測定することができる。ペーパーのない状態で、光量分布測定装置４０を図３に示すような初期位置に設定する（＃１）。次にセンサー感度を第１レベルに設定する（＃２）。次に、駆動モータ４３により、光量測定センサー部４１を主走査方向に移動開始する（＃３）。また、レーザー光の主走査を開始する（＃４）。光量測定センサー部４１の移動方向は、図３における矢印Ｂ方向であるが、レーザー光の主走査の速度に比べると、十分に遅い速度で移動させる。
【００３９】
主走査方向の画素数が仮に３６００画素であるとすると、図５に示すような３６００画素分の主走査が行われることで、主走査１ライン分の画像形成が行われる。図５においてＧ1、Ｇ2、Ｇ3・・・Ｇ3600は、画素位置を表わしており、縦軸は信号レベルである。まず、画素信号成分の第1光量分布Ｓ1、Ｓ2，Ｓ3・・・Ｓ3600を取得する（＃５）。
【００４０】
次に、センサ感度を第２レベルに設定変更する（＃６）。そして、光量測定センサー部４１を初期位置に復帰させる（＃７）。再び、光量測定センサー部４１を主走査方向に移動させ、ノイズ成分の第２光量分布Ｎ1，Ｎ2，Ｎ3・・・Ｎ3600を取得する（＃８，＃９，＃１０）。その結果、第１光量分布と第２光量分布の両方の測定データを取得することができる。
【００４１】
既に説明したように、主走査１により画素位置Ｇ1の画素が形成されるが、他の主走査２，３・・・３６００も画素位置Ｇ1の発色濃度に影響を与える。そこで、画素位置Ｇ1における光量データを測定する場合には、主走査１，２・・・３６００の光量を時系列に測定し、これを積分することで、画素位置Ｇ1における光量測定データとすることができる。画素位置Ｇ2，Ｇ3・・・Ｇ3600についても同様である。レーザー光の主走査の速度に比べて、光量測定センサー部４１の移動速度を十分に遅い速度で移動させることで、上記のような積分した光量データを測定することができる。
【００４２】
測定結果を図６に示す。このグラフは、既に説明した図８と同じであるが、ノイズ成分の影響も測定できている点で異なっている。従って、実際に写真プリントを作成して得られる発色濃度のグラフ（図９）と相関が取れた光量分布データを取得することができ、これに基づいてユニフォミティ補正を行うことができる。ユニフォミティ補正は、各画素位置における発色濃度が均一となるように、データを電子的に補正するものである。図６に示すような光量分布データが得られると、補正テーブルを演算することができ、得られた補正テーブルは、画像データ保存部３に保存される（＃１１）。
【００４３】
第１光量分布・第２光量分布の両方を用いて、ユニフォミティ補正を行うので、ノイズ成分の影響を考慮したユニフォミティ補正を行うことができる。また、写真プリントを作成し、この画像濃度を読み取ることにより光量分布データを取得することがなくても、補正を行うことができる。
【００４４】
＜光量分布測定装置の第２実施形態＞
次に、光量分布測定装置４０の第２実施形態を図７により説明する。この実施形態では、光量測定センサー部４１は、第１光量分布を取得するための第１光センサー４１ｂと、第２光量分布を取得するための第２光センサー４１ｃとを備えている。ノイズ成分を測定するための第２光センサー４１ｃは、高感度のセンサーを使用することができる。このように信号レベルの特性に合わせた光センサーを使用することができる。信号処理部４４には、夫々の光センサーに対応して、第１処理部４４ａと第２処理部４４ｂとが設けられる。他の構成は、第１実施形態と同じである。
【００４５】
＜別実施形態＞
本実施形態では、光量測定センサー部を低速で主走査方向に移動させる構成を説明した。これに代えて、主走査方向に沿って多数のセンサーを列状に並べることで光量分布データを取得するようにしてもよい。この場合は、センサーを主走査方向に沿って移動させる機構は不要となる。
【００４６】
光量測定用のデータとしては、全面グレーの写真プリントを作成するために用いられるデータを説明したが、これに限定されるものではない。例えば、全面が特定のカラー色となるようなデータを用いてもよい。
【図面の簡単な説明】
【００４７】
【図１】写真処理装置の構成を示す模式図
【図２】レーザー露光装置の構成を示す模式図
【図３】光量分布測定装置の構成を示す模式図
【図４】光量分布データを測定するときの手順を示すフローチャート
【図５】画素形成の様子を示す図
【図６】光量分布データを示す図
【図７】第２実施形態に係る光量分布測定装置の構成を示す模式図
【図８】光量分布データを示す図（従来技術）
【図９】写真プリントにおける発色濃度を示すグラフ
【図１０】１画素分の走査データを示す図
【図１１】露光量と発色濃度の関係を示すグラフ
【符号の説明】
【００４８】
８        レーザー露光装置
９        レーザーエンジン
１３      補正テーブル保存部
２０      レーザー光源
２１      ＡＯＭ
２６      ポリゴンミラー
２７      ＡＯＭドライバ
４０      光量分布測定装置
４１      光量測定センサー部
４１ａ    光センサー
４１ｂ    第１光センサー
４１ｃ    第２光センサー
４２      雄ねじ駆動軸
４３      駆動モータ
４４      信号処理部
４５      感度設定部
４６      感度切替手段
４７      光量分布取得部
４８      補正テーブル演算部
【図１】
2006047003.tif 000003
【図２】
2006047003.tif 000004
【図３】
2006047003.tif 000005
【図４】
2006047003.tif 000006
【図５】
2006047003.tif 000007
【図６】
2006047003.tif 000008
【図７】
2006047003.tif 000009
【図８】
2006047003.tif 000010
【図９】
2006047003.tif 000011
【図１０】
2006047003.tif 000012
【図１１】
2006047003.tif 000013